(57)【要約】【課題】把持した際の安定性を向上させた包装袋を提供する。【解決手段】包装袋は、樹脂シートからなる袋状の袋本体１０と、袋本体１０の側縁部を補強する柱状の補強部材３０と、袋本体１０に取り付けられたキャップ２１を有する口具２０と、口具２０を被覆する包装材４０とを備える。包装材４０は、熱収縮樹脂からなる筒状のフィルムであり、袋本体１０は、その側縁部同士が互いに接近するように屈曲した屈曲形状をなし、袋本体１０及び補強部材３０が口具２０と共に、包装材４０に密着して被覆されることによって屈曲形状に固定されている。【選択図】図１
2020059555.tif 000002
【特許請求の範囲】
【請求項１】
シート材からなる袋状の袋本体と、
前記袋本体の側縁部を補強する柱状の補強部材と、
前記袋本体に取り付けられた、キャップを有する口具と、
前記口具を被覆する包装材とを備える包装袋であって、
前記包装材は、熱収縮樹脂からなる筒状のフィルムであり、
前記袋本体は、その側縁部同士が互いに接近するように屈曲した屈曲形状をなし、前記袋本体及び前記補強部材が前記口具と共に、前記包装材に密着して被覆されることによって前記屈曲形状に固定され、
前記口具には、前記包装材を係止する口具側係止部が設けられていることを特徴とする包装袋。
【請求項２】
前記口具側係止部は、前記キャップに設けられている請求項１に記載の包装袋。
【発明の詳細な説明】
【技術分野】
【０００１】
本発明は、シート材から構成される包装袋に関する。
【背景技術】
【０００２】
近年、プラスチックボトルやガラス瓶等のボトル容器に代えて、樹脂シートを袋状に形成した包装袋が使用されている。樹脂シートから形成される包装袋は、プラスチックボトルやガラス瓶等のボトル容器に比べて省資源化が可能であり、また使用後に小さく折り畳むことができるため、ごみの減容化にも寄与する。
【０００３】
上記包装袋としては、例えば、特許文献１に開示される包装袋が知られている。特許文献１の包装袋は、底面シートと一対の側面シートとからなり、二つ折りにした底面シートを一対の側面シートの間に挟み込ませた状態として、底面シート及び側面シートの各側縁を熱溶着することにより袋状に形成されている。また、特許文献１の包装袋には、中折れの防止や自立性の向上を目的として、両側縁部分に柱状の補強部材が取り付けられている。
【先行技術文献】
【特許文献】
【０００４】
【特許文献１】特開２００３−１９１９６４号公報
【発明の概要】
【発明が解決しようとする課題】
【０００５】
ところで、上記包装袋は樹脂シートから形成されていることから、剛性が低く変形させやすいという性質を有する。こうした性質を有する上記包装袋には、廃棄時に空の包装袋を小さく折り畳むことができる等の利点がある一方で、内容物を取り出すために包装袋を把持した際に、包装袋が潰れやすくなって把持状態の安定性が低下するという問題もある。
【０００６】
この発明は、こうした従来の実情に鑑みてなされたものであり、その目的は、把持した際の安定性を向上させた包装袋を提供することにある。
【課題を解決するための手段】
【０００７】
上記課題を解決する包装袋は、シート材からなる袋状の袋本体と、前記袋本体の側縁部を補強する柱状の補強部材と、前記袋本体に取り付けられた、キャップを有する口具と、前記口具を被覆する包装材とを備える包装袋であって、前記包装材は、熱収縮樹脂からなる筒状のフィルムであり、前記袋本体は、その側縁部同士が互いに接近するように屈曲した屈曲形状をなし、前記袋本体及び前記補強部材が前記口具と共に、前記包装材に密着して被覆されることによって前記屈曲形状に固定され、前記口具には、前記包装材を係止する口具側係止部が設けられている。
【０００８】
前記口具側係止部は、前記キャップに設けられていることが好ましい。
【発明の効果】
【０００９】
本発明の包装袋によれば、把持した際の安定性が向上する。
【図面の簡単な説明】
【００１０】
【図１】屈曲形状にある包装袋の正面図。
【図２】包装袋における包装材に被覆された部分の拡大図。
【図３】袋本体の分解斜視図。
【図４】非屈曲形状にある袋本体の斜視図。
【図５】（ａ），（ｂ）は、口具の側面図。
【図６】（ａ），（ｂ）は、包装材の取り付けに関する説明図。
【図７】包装材を破断させた使用状態の包装袋の説明図。
【図８】（ａ），（ｂ）は、包装袋の変更例の説明図。
【発明を実施するための形態】
【００１１】
以下、本発明の一実施形態を説明する。
図１及び図３に示すように、包装袋は、樹脂シートにより袋状に形成された袋本体１０と、袋本体１０の上縁部分に取り付けられた口具２０とを備えている。
【００１２】
図３に示すように、袋本体１０は、折り目が上方を向くように二つ折りにされた横長の略長方形状の底面シート１１と、その底面シート１１を挟み込むように対向配置された一対の縦長の長方形状の側面シート１２とから構成されている。そして、口具２０の下部（取付部２３）及び二つ折りにされた底面シート１１全体を挟んで一対の側面シート１２を重ね合わせた状態として、側面シート１２の上下及び左右の各縁部がそれぞれ接着されて、上方に口具２０を有する袋状に形成されている。
【００１３】
具体的には、図４に示すように、袋本体１０の上縁においては、口具２０の下部（取付部２３）の外周面と側面シート１２の内面とが接着されるとともに、側面シート１２の内面同士が一定幅で接着されている。袋本体１０の左右の両側縁においては、側面シート１２の内面同士が一定幅で接着されている。袋本体１０の下縁においては、側面シート１２の内面と底面シート１１の外面とが、上下方向において円弧状に凹んだ曲線と側面シート１２の左縁、右縁及び下縁とによって囲まれた領域にて接着されている。
【００１４】
なお、袋本体１０には内容物が収容されている。袋本体１０に収容される内容物は特に限定されるものではない。袋本体１０に収容される内容物としては、例えば、液体状、粒子状、ゼリー状等の流動性を有する内容物が挙げられる。
【００１５】
図５（ａ），（ｂ）に示すように、口具２０は、キャップ２１を有するキャップ付きの口具である。口具２０は、上下に開口する円筒状の筒部２２を備えている。筒部２２の下部には、半径方向に突出するとともに、袋本体１０の上縁が接着されて固定される取付部２３が設けられている。筒部２２の上部の外周には、キャップ２１が係合する雄螺子２２ａが設けられている。なお、キャップ２１の内周には、雄螺子に係合する雌螺子が設けられている（図示略）。
【００１６】
また、筒部２２の中央部の外周には、キャップ２１の下端を支持するフランジ２４が設けられている。そして、筒部２２におけるフランジ２４と取付部２３との間の部分には、半径方向に凹んだ溝状の凹部２５が設けられている。
【００１７】
図３及び図４に示すように、袋本体１０の両側縁部分には、一対の補強部材３０が取り付けられている。補強部材３０は、袋本体１０の縁部の接着部分を外側から覆う横断面コ字状（溝状）をなす柱状の部材である。また、補強部材３０は、袋本体１０の側縁全体を補強する側縁補強部３１と、袋本体１０の上縁の端部を補強する上縁補強部３２とを備え、全体としてＬ字状に形成されている。そして、両補強部材３０は、袋本体１０の上縁及び側縁の接着部分に対して一体に固定されている。なお、袋本体１０の上縁の中央部には、補強部材３０が取り付けられていない非補強部１３が設けられている。
【００１８】
図１及び図２に示すように、上記のとおり構成された袋本体１０は、両側縁部分を接近させるように屈曲させた屈曲形状、即ち上面視において略Ｃ字状に丸められたような形状とされている。具体的には、袋本体１０の両側縁部分の上部を、袋本体１０を構成する一方の側面シート１２側に屈曲させて、両側縁部分に取り付けられている補強部材３０を互いに接近させた状態とされている。袋本体１０の上縁については、非補強部１３において屈曲されている。そして、上記屈曲形状とされている袋本体１０の上部、及び口具２０に対して、これらの各部位を被覆する包装材４０が取り付けられている。
【００１９】
図６（ａ），（ｂ）に示すように、包装材４０としては、熱収縮樹脂からなる筒状のフィルム（所謂、チューブタイプのシュリンクフィルム）が用いられている。包装材４０を構成する熱収縮樹脂は特に限定されるものではなく、熱収縮することにより対象物を包装する用途に利用可能な熱収縮樹脂であればよい。
【００２０】
取り付け前の包装材４０は、屈曲形状とした袋本体１０の上部を収容可能な程度の内径を有する筒状とされる。包装材４０には、ミシン目状に並ぶ複数の孔からなる破断誘導部４１が設けられている。破断誘導部４１は、包装材４０の中央部分において、その周方向に一周する横破断誘導部４１ａと、所定の間隔をあけて平行に設けられ、横破断誘導部４１ａから一方の縁（上縁）まで延びる一対の縦破断誘導部４１ｂとからなる。
【００２１】
図６（ｂ）に示すように、包装材４０は、その内側に、口具２０の全体、及び屈曲形状とした袋本体１０の上部を収容させた状態として、加熱により熱収縮することによって、口具２０、袋本体１０の上部、及び補強部材３０の上部を密着した状態で被覆するように取り付けられる。
【００２２】
図２に示すように、包装材４０は、口具２０に対しては、キャップ２１の上面周縁部分及び外周面、フランジ２４の外周面、凹部２５を、これらの各部位の凹凸形状に沿って密着した状態で被覆する。袋本体１０の上部及び補強部材３０の上部に対しては、屈曲形状としたときに外側に位置する側面シート１２、及び補強部材３０における屈曲形状としたときに外側に位置する部位を、これらの各部位の凹凸形状に沿って密着した状態で被覆する。特に、口具２０の凹部２５、及び袋本体１０と補強部材３０との間の段差部分において、包装材４０は、これらの各部位の凹凸形状に沿って密着した状態とされている。
【００２３】
そして、袋本体１０は、口具２０に加えて、袋本体１０の上部に対しても筒状の包装材４０に被覆されることによって、屈曲形状に固定されている。袋本体１０をより安定して屈曲形状に固定する観点において、包装材４０における袋本体１０を被覆する部分の長さＬを、１０ｍｍ以上に設定することが好ましく、１２ｍｍ以上に設定することがより好ましい。また、包装材４０を取り付けた状態において、横破断誘導部４１ａは、キャップ２１とフランジ２４との境、又はその近傍に位置している。
【００２４】
次に、本実施形態の作用について記載する。
本実施形態の包装袋は、包装材４０に被覆されることによって、袋本体１０が上面視において丸められた屈曲形状に固定されている。屈曲形状とされた包装袋は、厚さ方向に重なる側面シート１２の枚数が多くなって、袋本体１０の厚さ方向の剛性が高められる。これにより、包装袋を把持した際に袋本体１０が容易に潰れてしまうことが抑制され、一定の反力を感じつつ安定して把持することができるようになる。
【００２５】
また、袋本体１０が非屈曲形状である包装袋と比較して、袋本体１０が屈曲形状とされて丸められた包装袋は、掌の中に収まりやすくなって持ちやすくなる。包装袋の持ちやすさが良好となることによっても、包装袋を把持した際の安定性が向上する。さらには、丸められた形状となることによって、包装袋の自立性も向上する。また、袋本体１０が屈曲形状とされた包装袋は、側面視においてビンのような外観形状（略円錐状や略円筒形状）となり、意匠性にも優れている。
【００２６】
なお、図２及び図７に示すように、包装袋から内容物を取り出す際には、破断誘導部４１に沿って包装材４０を破断する。これにより、包装材４０の上部、即ち包装材４０における口具２０のキャップ２１を被覆する部分が分離及び除去されて、口具２０からキャップ２１を取り外すことが可能になる。そして、キャップ２１を取り外すことにより、口具２０の筒部２２を通じて袋本体１０内に収容された内容物を取り出すことが可能になる。
【００２７】
このとき、包装材４０の一部が除去されて、キャップ２１を取り外すこと及び内容物を取り出すことが可能になった後も、包装材４０における袋本体１０の上部及び補強部材３０の上部を被覆する部分については、そのまま残存する。そのため、包装袋から内容物を取り出し可能な状態とした後も、残存する包装材４０によって、袋本体１０の屈曲形状は維持される。
【００２８】
次に、本実施形態の効果について記載する。
（１）包装袋は、樹脂シートからなる袋状の袋本体１０と、袋本体１０の側縁部を補強する柱状の補強部材３０と、袋本体１０に取り付けられた、キャップ２１を有する口具２０と、口具２０を被覆する包装材４０とを備える。包装材４０は、熱収縮樹脂からなる筒状のフィルムであり、袋本体１０は、その側縁部同士が互いに接近するように屈曲した屈曲形状をなし、袋本体１０及び補強部材３０が口具２０と共に、包装材４０に密着して被覆されることによって屈曲形状に固定されている。
【００２９】
上記構成によれば、包装袋を把持した際の安定性が向上する。また、口具２０を被覆して保護する包装材４０を利用して屈曲形状に固定したことにより、屈曲形状に固定するための構成を新たに設ける必要がない。
【００３０】
（２）包装材４０には、袋本体１０及び補強部材３０を被覆する部分を残しつつ、口具２０のキャップ２１を被覆する部分を除去するための破断誘導部４１が設けられている。
上記構成によれば、袋本体１０及び補強部材３０を被覆する部分を残しつつ、口具２０のキャップ２１を被覆する部分を除去した状態、即ち袋本体１０の屈曲形状を維持しつつ、キャップ２１を取り外すことのできる状態となるように包装材４０を破断することが容易になる。
【００３１】
（３）口具２０は、包装袋が固定される取付部２３を備え、口具２０におけるキャップ２１と取付部２３との間には、凹部２５が設けられている。包装材４０は、凹部２５に沿って密着した状態で口具２０を被覆している。
【００３２】
上記構成によれば、包装材４０に対して、包装材４０が抜ける方向へ動かす力が作用した場合に、凹部２５に包装材４０が引っ掛かることにより包装材４０が係止される。これにより、包装材４０の位置がずれることを抑制できる。その結果、袋本体１０の屈曲形状を安定して維持することができる。本実施形態においては、凹部２５が口具側係止部として機能する。
【００３３】
（４）補強部材３０は、袋本体１０の上縁の端部を補強する上縁補強部３２を備えている。包装材４０は、上縁補強部３２に密着した状態で口具２０を被覆している。
上記構成によれば、包装材４０の軸方向において、補強部材３０（上縁補強部３２）と袋本体１０との間に段差が形成される（図２参照）。そのため、包装材４０に対して、包装材４０が抜ける方向へ動かす力が作用した場合に、上記段差に包装材４０が引っ掛かることにより包装材４０が係止される。これにより、包装材４０の位置がずれることを抑制できる。その結果、袋本体１０の屈曲形状を安定して維持することができる。本実施形態において、上縁補強部３２は、包装材４０を係止する補強部材側係止部として機能する。
【００３４】
（５）補強部材３０は、袋本体１０の側縁を補強する側縁補強部３１を備えている。包装材４０は、側縁補強部３１に密着した状態で口具２０を被覆している。
上記構成によれば、包装材４０の周方向において、補強部材３０（側縁補強部３１）と袋本体１０との間に段差が形成される（図２参照）。そのため、包装材４０に対して、包装材４０を回転させる方向へ動かす力が作用した場合に、上記段差に包装材４０が引っ掛かることにより包装材４０が係止される。これにより、包装材４０の位置がずれることを抑制できる。その結果、袋本体１０の屈曲形状を安定して維持することができる。本実施形態において、側縁補強部３１は、包装材４０を係止する補強部材側係止部として機能する。
【００３５】
なお、本実施形態は、次のように変更して具体化することも可能である。
・袋本体１０の屈曲形状は、上記実施形態の形状に限定されるものではない。例えば、上面視において略Ｃ字状に丸めたような形状から更に各側縁部分が内側又は外側に屈曲されたような形状（例えば、Ω字状やＳ字状）であってもよい。また、少なくとも袋本体１０の上部が屈曲されていればよく、全体として略円錐状になるように上側部分のみを屈曲させた屈曲形状であってもよいし、全体として略円筒状になるように袋本体１０を全体的に屈曲させた屈曲形状であってもよい。
【００３６】
・袋本体１０は、樹脂シートにより袋状に形成されるものであればよく、袋本体１０を構成する各樹脂シートの具体的構成は特に限定されるものではない。例えば、底面シート１１を省略して一対の側面シート１２のみから袋本体１０を形成してもよい。
【００３７】
・上記実施形態では、袋本体１０を構成するシート材として樹脂シートを用いたが、樹脂シート以外のシート材、例えば、アルミ箔や紙等をラミネート加工してなるシート材を用いてもよい。
【００３８】
・上記実施形態では、口具２０に設けられるキャップ２１として、螺子構造により係合する別体型のキャップ２１（所謂、スクリューキャップ）を採用していたが、キャップ２１の構成はこれに限定されるものではない。例えば、筒部２２に対してヒンジを介して開閉動作する一体型のキャップ２１を採用してもよい。
【００３９】
・口具２０に設けられる口具側係止部は、凹部２５に限定されるものではなく、口具２０に対して包装材４０が相対移動しようとした際に、包装材４０が引っ掛かって係止される凹凸構造であればよい。口具側係止部をキャップ２１に設けてもよい。また、口具側係止部を省略してもよい。
【００４０】
・補強部材３０について、上縁補強部３２を省略してもよい。
・補強部材側係止部として、口具２０に対して包装材４０が相対移動しようとした際に、包装材４０が引っ掛かって係止される凹凸構造を、補強部材３０における包装材４０に接触する部分に更に設けてもよい。
【００４１】
例えば、図８（ａ）に示す例では、補強部材３０に対して、補強部材側係止部としての突起３３を設けている。また、図８（ｂ）に示す例では、補強部材３０に対して、補強部材側係止部としての段差３４を設けている。これらの構成によれば、補強部材３０における突起３３や段差３４に密着して包装材４０が被覆される。そのため、包装材４０に対して包装材４０を動かす力が作用した場合に、突起３３や段差３４に包装材４０が引っ掛かることにより包装材４０が係止される。
【００４２】
・包装材４０に設けられる破断誘導部４１は、ミシン目状に並ぶ複数の孔に限定されるものではなく、特定形状への破断を誘導する構成であればよい。例えば、切り込み等の薄肉部であってもよい。また、破断誘導部４１を省略してもよい。この場合には、使用者がナイフ等を用いて、図７に示す形状となるように包装材４０を破断すればよい。
【００４３】
・屈曲形状にある袋本体１０及び補強部材３０の各上部が口具２０と共に被覆されていれば、包装材４０により被覆される袋本体１０及び補強部材３０の範囲は特に限定されるものではない。例えば、屈曲形状にある袋本体１０及び補強部材３０の全体を包装材４０により被覆した構成としてもよい。
【００４４】
次に、上記実施形態及び変更例から把握できる技術的思想について記載する。
（イ）前記口具側係止部は、前記キャップと前記取付部との間に設けられた凹部である前記包装袋。
【００４５】
（ロ）前記補強部材側係止部は、前記袋本体の上縁の端部を補強する上縁補強部、及び袋本体１０の側縁を補強する側縁補強部である前記包装袋。
（ハ）前記補強部材側係止部は、前記補強部材における前記包装材に接触する部分に設けられた凹凸構造である前記包装袋。
【符号の説明】
【００４６】
１０…袋本体、１１…底面シート、１２…側面シート、２０…口具、２１…キャップ、２２…筒部、２３…取付部、２５…凹部（口具側係止部）、３０…補強部材、３１…側縁補強部（補強部材側係止部）、３２…上縁補強部（補強部材側係止部）、３３…突起（補強部材側係止部）、３４…段差（補強部材側係止部）、４０…包装材、４１…破断誘導部。
【図１】
2020059555.tif 000003
【図２】
2020059555.tif 000004
【図３】
2020059555.tif 000005
【図４】
2020059555.tif 000006
【図５】
2020059555.tif 000007
【図６】
2020059555.tif 000008
【図７】
2020059555.tif 000009
【図８】
2020059555.tif 000010